Podtech/llm-jp-corpus-v4-ja_patent huggingface dataset:
【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
面内方向に移動可能な接触面を持つ移動体と、該移動体の前記接触面と接触する端部と、該端部から伸びる弾性板に板状の圧電素子を貼り合わせた振動板を有する圧電アクチュエータとを有し、発振部からの交流電圧によって圧電素子が伸縮し、前記端部が長さ方向に往復運動することにより、前記移動体と前記端部の接触点が移動体の送り方向に対し、垂直方向に移動する傾斜案内部を前記移動体の接触面に設けたことを特徴とする圧電アクチュエータ。
【請求項２】
前記傾斜案内部が前記振動体の端部の振幅よりも大きな幅の段差であることを特徴とする、請求項１記載の圧電アクチュエータ。
【請求項３】
前記接触点が前記段差部分の側面に沿って、送り方向に対して前記接触面内に垂直方向に移動することを特徴とする、請求項２記載の圧電アクチュエータ。
【請求項４】
前記段差は、前記移動体の表面に成す部分的な凹部によって形成され、前記振動体の端部が前記凹部に係合することによって、前記接触点は送り方向に対して前記接触面内に垂直方向に移動することを特徴とする、請求項３記載の圧電アクチュエータ。
【請求項５】
前記段差は、前記移動体の表面に成す部分的な凸部によって形成され、前記振動体の端部が前記凸部に案内されることによって、前記接触点は送り方向に対して前記接触面内に垂直方向に移動することを特徴とする、請求項３記載の圧電アクチュエータ。
【請求項６】
前記移動体を面内方向に回転可能に指示された円筒面を有する回転体とし、前記振動板の端部とこの回転体の外周面が接触することを特徴とする、請求項３記載の圧電アクチュエータ。
【請求項７】
前記回転体とその軸を支える軸受の間に間隔を設けることで、前記回転体が送り方向に対して前記接触面内に垂直方向に移動することができることを特徴とする、請求項６記載の圧電アクチュエータ。
【請求項８】
前記移動体を面内方向に移動可能な平面を持つ平行移動体し、前記振動板の端部とこの平行移動体の平面が接触することを特徴とする、請求項３記載の圧電アクチュエータ。
【請求項９】
前記平行移動体が送り方向に対して前記接触面内に垂直方向に移動することができることを特徴とする、請求項８記載の圧電アクチュエータ。
【請求項１０】
前記振動板を支持する支持部が弾性変形することで、前記振動板の端部が、送り方向に対して前記回転体または前記平行移動体の前記接触面内に垂直方向に移動することを特徴とする、請求項６または８記載の圧電アクチュエータ。
【請求項１１】
前記回転体または前記平行移動体が送り方向に対し、前記接触面内に垂直方向に移動した時、前記回転体または前記平行移動体が接触子と接触することを特徴とする、請求項７または９記載の圧電アクチュエータ。
【請求項１２】
前記振動板が送り方向に対し、前記接触面内に垂直方向に移動した時、前記振動体が接触子と接触することを特徴とする、請求項１０記載の圧電アクチュエータ。
【請求項１３】
前記移動体の接触面の段差部分の壁に、前記振動板の端部が衝突し、停止することを特徴とする、請求項７、９または１０記載の圧電アクチュエータ。
【請求項１４】
請求項１１、１２または１３記載のアクチュエータと、
この圧電アクチュエータに電力を給電する電池と、
直流電圧を交流電圧に変換させる回路と、
前記回転体と連動する輪列と、
この輪列と連動して回転するリング上のカレンダ表示車と
を備えることを特徴とする時計。
【請求項１５】
請求項１１、１２または１３記載のアクチュエータと、
この圧電アクチュエータに電力を給電する電池と、
直流電圧を交流電圧に変換させる回路と
を備えたことを特徴とする小型機器。
【請求項１６】
面内方向に移動可能な接触面を持つ移動体と、該移動体の前記接触面と接触する端部と、該端部から伸びる弾性板に板状の圧電素子を貼り合わせた振動板を有する圧電アクチュエータとを有し、発振部からの交流電圧によって圧電素子が伸縮し、前記端部が前記移動体の傾斜案内部と接触することを特徴とする圧電アクチュエータ。
【手続補正２】
【補正対象書類名】明細書
【補正対象項目名】００１２
【補正方法】変更
【補正の内容】
【００１２】
【課題を解決するための手段】
上記課題を解決するため、本発明の圧電アクチュエータは、面内方向に移動可能な接触面を持つ移動体と、該移動体の前記接触面と接触する端部と、該端部から伸びる弾性板に板状の圧電素子を貼り合わせた振動板を有する圧電アクチュエータとを有し、発振部からの交流電圧によって圧電素子が伸縮し、前記端部が長さ方向に往復運動することにより、前記移動体と前記端部の接触点が移動体の送り方向に対し、垂直方向に移動する傾斜案内部を前記移動体の接触面に設けたことを特徴とする。


【手続補正３】
【補正対象書類名】明細書
【補正対象項目名】００１３
【補正方法】変更
【補正の内容】
【００１３】
また、本発明の圧電アクチュエータは、前記傾斜案内部が前記振動体の端部の振幅よりも大きな幅の段差であることを特徴とする。


【手続補正４】
【補正対象書類名】明細書
【補正対象項目名】００１４
【補正方法】変更
【補正の内容】
【００１４】
また、本発明の圧電アクチュエータは、前記接触点が前記段差部分の側面に沿って、送り方向に対して前記接触面内に垂直方向に移動することを特徴とする。


【手続補正５】
【補正対象書類名】明細書
【補正対象項目名】００４６
【補正方法】変更
【補正の内容】
【００４６】
次に、日車６０は、リング状の形状をしており、その内周面に内歯車６１が形成されている。日回し車５０は、内歯車６１に噛合している五歯の歯車５１と、これと同心の日回し中間車４０に噛合している歯車５２から構成されている。また、日回し車の中心にはシャフト５３が設けられており、これが地板１に形成された軸受５４に回動自在に軸支されている。
次に、ロータ部０は溝の入ったロータ２０と、これと同心を成すように固着された日回し中間車と噛合する小径部２５から構成されている。また、ロータ部０の中心にはシャフト２２が設けられており、これが地板１に形成された軸受２６に回動自在に軸支されている。
【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
気体や液体の流れを周期的な振動に変換しその振動を圧電セラミックに伝え発電する発電機
【請求項２】
請求項１の発電機を電源に使用した自発光式の表示器
【請求項３】
反射板の前に設けられた、風力を受け止め回転力に変換するプロペラが回転することで圧電セラミックに周期的な振動が加わり機械的なエネルギーを直接電気エネルギーに変換するような発電機を電源に使用した表示器であって、圧電セラミックとＬＥＤなどの発光体がプロペラ側若しくは反射板側に取り付けられていることを特徴とする請求項２に記載の自発光式の表示器。
【請求項４】
電気二重層コンデンサに蓄電する機能を持った請求項２又は３の自発光式の表示器
【請求項５】
コンデンサに蓄電する機能を持った請求項２又は３の自発光式の表示器
【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
食品を加工するための食品加工チャンバー、前記チャンバーを通して前記食品を水平に搬送するための水平コンベヤー、第一垂直セグメント及び第二垂直セグメントを有する循環路に沿って加工媒体を、前記チャンバーを通って水平に移動する前記食品を横切って前記加工媒体が垂直に流れるように循環させる循環システムを含む食品加工装置であって、
前記セグメントの一方は供給路セグメントであり、前記セグメントの他方は帰路セグメントである食品加工装置。
【請求項２】
前記加工媒体が前記第一セグメント中を第一垂直方向に流れ、そして前記第二セグメント中を第二垂直方向に流れ、前記第二垂直方向は前記第一垂直方向と逆向きである請求項１記載の食品加工装置。
【請求項３】
前記チャンバーが前記水平コンベヤーの上部及び下部にそれぞれ隔てられた上方壁及び下方壁を有し、そして前記循環路は、前記壁の同一壁で始まりそして終わる請求項１記載の食品加工装置。
【請求項４】
前記一つの壁が前記上方壁である請求項３記載の食品加工装置。
【請求項５】
前記第一セグメント及び前記第二セグメントが、前記チャンバーを通る前記食品の水平移動方向に平行な方向に沿って互いから水平に隔てられている請求項１記載の食品加工装置。
【請求項６】
前記食品が前記チャンバーを通って水平に前方に移動する請求項５記載の食品加工装置であって、前記チャンバー中におおむね垂直に延びる障壁を含み、そして開口部を有し、該開口部を通って前記コンベヤーは水平に延び、前記第一セグメントは前記障壁の前方にあり、前記第二セグメントは前記障壁の後方にある食品加工装置。
【請求項７】
食品を加工するための食品加工チャンバーを含み、前記チャンバーは、連続する関係にある多数のモジュール区画、前記区画を通して順次連続的に前記食品を搬送することにより前記チャンバーを通して前方に前記食品を搬送するためのコンベヤーを含み、それぞれの前記区画は、第一セグメント及び第二セグメントを有する循環路に沿って加工媒体を循環させるそれ自体の循環システムを有し、前記セグメントの一方は供給路セグメントＳであり、前記セグメントの他方は帰路セグメントＲである食品加工装置であって、
前記食品が下記二つの区画を通して下記連続配列Ｒ→Ｓ→Ｓ→Ｒで順次前方に搬送されるように、少なくとも二つの前記区画は互いにＲ及びＳ配列が逆転されている食品加工装置。
【請求項８】
それぞれの前記区画が、各自の前記供給路セグメントＳに加工媒体を正圧で供給するアウトプット及び各自の前記帰路セグメントＲから加工媒体を負圧で戻すインプットを有する送風機を有し、そして前記チャンバーは上流入口及び下流出口を有し、そして前記区画の最上流のものは、そのＳセグメントの続けて上流のそのＲセグメントに配列されており、そして前記区画の最下流のものは、そのＳセグメントの続けて下流のそのＲセグメントに配列されている請求項７記載の食品加工装置。
【請求項９】
下記連続配列Ｒ→Ｓ→Ｓ→Ｒ→Ｒ→Ｓ→Ｓ→Ｒの四つの前記区画を含む請求項８記載の食品加工装置。
【請求項１０】
食品加工チャンバーを通して水平コンベヤー上で水平に食品を搬送し、循環システム中で第一垂直セグメント及び第二垂直セグメントを有する循環路に沿って加工媒体を循環させ、前記セグメントの一方を供給路セグメントとして設け、前記セグメントの他方を帰路セグメントとして設け、そして前記チャンバーを通して水平に移動する前記食品を横切って前記加工媒体を垂直に流すことからなる食品を加工する方法。
【請求項１１】
前記加工媒体を前記第一セグメント中を第一垂直方向に流し、前記加工媒体を前記第二セグメント中を第二垂直方向に流すことからなり、前記第二垂直方向は前記第一垂直方向と逆向きである請求項１０記載の方法。
【請求項１２】
前記チャンバーに前記水平コンベヤーの上部及び下部にそれぞれ隔てられた上方壁及び下方壁を設け、そして前記循環路を、前記壁の同一壁で始まらせそして終わらせることからなる請求項１０記載の方法。
【請求項１３】
前記上方壁で前記循環路を始まらせそして終わらせることからなる請求項１２記載の方法。
【請求項１４】
前記第一セグメント及び前記第二セグメントを、前記チャンバーを通る食品の水平移動方向に平行な方向に沿って互いに水平に隔てることからなる請求項１０記載の方法。
【請求項１５】
前記食品を前記チャンバーを通して水平に前方に搬送し、前記チャンバー中におおむね垂直に延びそして開口部を有する障壁であって、該開口部を通って前記コンベヤーが水平に延びる障壁を設け、前記第一セグメントを前記障壁の前方に設け、前記第二セグメントを前記障壁の後方に設けることからなる請求項１４記載の方法。
【請求項１６】
多数のモジュール区画を有するチャンバーを設け、前記区画を連続する関係で配置し、前記区画を通して順次連続的に前記食品を搬送することにより前記チャンバーを通して前方にコンベヤー上で前記食品を搬送し、それぞれの前記区画にそれ自体の循環システムを設け、そして前記各区画において第一セグメント及び第二セグメントを有する循環路に沿って加工媒体を循環させ、前記セグメントの一方を供給路セグメントＳとして設け、前記セグメントの他方を帰路セグメントＲとして設け、前記区画の少なくとも二つの区画のＲ及びＳ配列を互いに逆転させ、そして前記食品を下記連続配列Ｒ→Ｓ→Ｓ→Ｒで前記二つの区画を通して順次前方に搬送することからなる食品を加工する方法。
【請求項１７】
それぞれの前記区画に送風機を設け、それぞれの前記送風機にアウトプットを設け、そして各自の前記供給路セグメントＳに前記加工媒体を正圧で供給し、それぞれの前記送風機にインプットを設け、そして各自の前記帰路セグメントＲから前記加工媒体を負圧で戻し、前記チャンバーに上流入口及び下流出口を設け、前記区画の最上流のものをそのＳセグメントの続けて上流のそのＲセグメントに配列させ、そして前記区画の最下流のものをそのＳセグメントの続けて下流のそのＲセグメントに配列させることからなる請求項１６記載の方法。
【請求項１８】
下記連続配列Ｒ→Ｓ→Ｓ→Ｒ→Ｒ→Ｓ→Ｓ→Ｒの四つの前記区画を設けることからなる請求項１７記載の方法。
【手続補正書】
【提出日】平成16年6月18日(2004.6.18)
【手続補正１】
【補正対象書類名】明細書
【補正対象項目名】請求項５
【補正方法】変更
【補正の内容】
【請求項５】
少なくとも前記軸受収納部の一部は、前記後フランジ部と一体形成されている、請求項
１から３のいずれか１項に記載のスピニングリールのスプール。
【手続補正２】
【補正対象書類名】明細書
【補正対象項目名】０００９
【補正方法】変更
【補正の内容】
【０００９】  発明４に係るスピニングリールのスプールは、発明１又は２に記載のスプールにおいて、軸受収納部全体が金属製である。この場合には、軸受収納部全体が金属製であるので、強度がさらに高くなる。  発明５に係るスピニングリールのスプールは、発明1から３のいずれかに記載のスプールにおいて、少なくとも軸受収納部の一部は、後フランジ部と一体形成されている。この場合には、軸受収納部と後フランジ部とを一体形成しているので、糸巻胴部の後部の補強を兼ねることができる。
【手続補正３】
【補正対象書類名】図面
【補正対象項目名】図５
【補正方法】変更
【補正の内容】
【図５】
2003009732.tif 000001
【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
無線ベースの通信システム、特にＵＭＴＳ通信システムを動作させる方法であって、伝送されるデータは、データフレーム、いわゆるフレームで伝送され、複数のデータフレームが１つのグループを形成するように組み合わされ、フォーマット関連インジケータが各データフレーム用に伝送され、いくつかの許容可能なフォーマット関連インジケータが事前に指定され、許容可能なフォーマット関連インジケータの数がグループ内のデータフレームの組合せに応じて減少する方法。
【請求項２】
特定のデータフレームに対して、グループ内のデータフレームの組合せに基づいて、該特定のデータフレームでは、全く発生不可能なフォーマット関連インジケータが排除される請求項１に記載の方法。
【請求項３】
特定のデータフレームに対して、グループ内のデータフレームの組合せを考慮に入れて、該特定のデータフレームで、実際に発生する可能性のあるフォーマット関連インジケータのみが、許容可能なものとして指定される請求項１に記載の方法。
【請求項４】
無線ベースの通信システム、特にＵＭＴＳ通信システムの基地局または移動局のための受信機であって、伝送されるデータは、データフレーム、いわゆるフレームで伝送され、複数のフレームが１つのグループを形成するように組み合わされ、フォーマット関連インジケータが各データフレーム用に伝送され、いくつかの許容可能なフォーマット関連インジケータが事前に指定され、受信機で、許容可能なフォーマット関連インジケータの数がグループ内のデータフレームの組合せに応じて減少する手段が設けられる受信機。
【請求項５】
無線ベースの通信システム、特にＵＭＴＳ通信システムのための基地局または移動局であって、伝送されるデータは、データフレーム、いわゆるフレームで伝送され、複数のデータフレームが１つのグループを形成するように組み合わされ、フォーマット関連インジケータが各データフレーム用に伝送され、いくつかの許容可能なフォーマット関連インジケータが事前に指定され、許容可能なフォーマット関連インジケータの数がグループ内のデータフレームの組合せに応じて減少する手段が設けられる基地局または移動局。
【手続補正書】
【提出日】平成17年2月4日(2005.2.4)
【手続補正１】
【補正対象書類名】明細書
【補正対象項目名】請求項１
【補正方法】変更
【補正の内容】
【請求項１】
利用者用端末装置と、該利用者用端末装置からの利用者側医療情報を受信し処理するセンター装置と、該センター装置との間で医療情報の交換を行う医師用端末装置とを備えてなり、
前記利用者用端末装置は、生体情報を検出する生体情報検出手段と、生体情報の検出状況をモニターする手段と、検出された生体情報を含む利用者側医療情報を前記センター装置に送信する送信手段と、前記センター装置からの医療情報を受信する受信手段と、を備えており、
前記センター装置は、利用者に係る医療情報や医師に係る情報を記憶する随時読み取り記録手段と、前記利用者側医療情報を受信する受信手段と、受信した利用者側医療情報を解析する解析手段と、解析結果に対応した判定結果を取出す手段と、解析結果に応じて選択可能な問診内容を記憶する問診内容記憶手段と、該問診内容記憶手段から選択された問診内容を取り出す手段と、前記随時読み取り記憶手段から医師を選択する手段と、判定結果及び問診内容を含むセンター側医療情報を前記利用者用端末装置及び／又は医師用端末装置に送信する手段と、を備えており、
前記医師用端末装置は、前記センター側医療情報を受信する受信手段と、医師側医療情報をセンター装置に送信する手段、とを備えたことを特徴とする医療診断システム。
【手続補正２】
【補正対象書類名】明細書
【補正対象項目名】請求項３
【補正方法】変更
【補正の内容】
【請求項３】
利用者用端末装置から送信された利用者側医療情報を解析して、（ａ）異常無し、（ｂ）異常が認められるが緊急を要しない、（ｃ）異常が認められ緊急を要する、の３つの判定結果を得、
判定結果（ａ）の場合、利用者に判定結果を送信する、
判定結果（ｂ）の場合、解析結果に対応した問診内容を取り出して、利用者に送信し、該問診内容に対する回答を求める、
判定結果（ｃ）の場合、適当な医師を選択して診療を要請する、
また、前記問診内容に対する回答があった場合、該回答を解析して、（ａ）異常無し、（ｂ）異常が認められるが緊急を要しない、（ｃ）異常が認められ緊急を要する、の３つの判定結果を得、
判定結果（ａ）の場合、利用者に、健康上のアドバイスを付けて判定結果を送信する、
判定結果（ｂ）の場合、利用者に適当な医師を紹介し、詳しい診察を受けるよう要請する、
判定結果（ｃ）の場合、適当な医師を選択して診療を要請する、
ことを特徴とする請求項２に記載の医療診断処理方法。
【手続補正３】
【補正対象書類名】明細書
【補正対象項目名】０００６
【補正方法】変更
【補正の内容】
【０００６】
【課題を解決するための手段】
本発明者等は、上記の課題を解決するために鋭意検討の結果、生体情報による診断結果に、生体情報に応じて選択された問診内容による問診を併用することにより、簡単かつきめの細かい対応が可能になることに想到し、本発明を完成した。すなわち、本発明は、利用者用端末装置と、この利用者用端末装置からの利用者側医療情報を受信し処理するセンター装置と、このセンター装置との間で医療情報の交換を行う医師用端末装置とを備えてなり、利用者用端末装置は、生体情報を検出する生体情報検出手段と、生体情報の検出状況をモニターする手段と、検出された生体情報を含む利用者側医療情報を前記センター装置に送信する送信手段と、センター装置からの医療情報を受信する受信手段と、を備えており、センター装置は、利用者に係る医療情報や医師に係る情報を記憶する随時読み取り記録手段と、利用者側医療情報を受信する受信手段と、受信した利用者側医療情報を解析する解析手段と、解析結果に対応した判定結果を取出す手段と、解析結果に応じて選択可能な問診内容を記憶する問診内容記憶手段と、該問診内容記憶手段から選択された問診内容を取り出す手段と、前記随時読み取り記憶手段から医師を選択する手段と、判定結果及び問診内容を含むセンター側医療情報を利用者用端末装置及び／又は医師用端末装置に送信する手段と、を備えており、医師用端末装置は、センター側医療情報を受信する受信手段と、医師側医療情報をセンター装置に送信する手段、とを備えたことを特徴とする医療診断システムに関する。
【手続補正４】
【補正対象書類名】明細書
【補正対象項目名】００１６
【補正方法】変更
【補正の内容】
【００１６】
緊急を要すると判定された場合、ＲＯＭ３４から適当な医師が選択され（Ｓ１７）、診察の要請が行われる（Ｓ１８）。このとき、ＲＯＭ３４から患者（緊急を要すると判定された利用者）に関する諸情報、例えば医療情報、住所、年齢、性別等も同時に取り出され送信される。医師から診察の要請を受理する旨の返信があれば（Ｓ１９）処理が終了する。ここでも、医師による診察が緊急を要するため、診察の要請の受理を以って送信の確認が行われるようになっている。
【手続補正書】
【提出日】平成16年5月26日(2004.5.26)
【手続補正１】
【補正対象書類名】明細書
【補正対象項目名】請求項５
【補正方法】変更
【補正の内容】
【請求項５】
前記電極は、足を測定部位とする足用検出部と手を測定部位とする手用検出部とに配設されていることを特徴とする請求項１乃至４のいずれか１項に記載の複合健康計測装置。
【手続補正２】
【補正対象書類名】明細書
【補正対象項目名】請求項６
【補正方法】変更
【補正の内容】
【請求項６】
前記足用検出部に配設された前記電極の少なくとも一部と前記手用検出部に配設された前記電極の少なくとも一部とを切り替え接続可能にする切替手段を備えることを特徴とする請求項５に記載の複合健康計測装置。
【手続補正３】
【補正対象書類名】明細書
【補正対象項目名】００１６
【補正方法】変更
【補正の内容】
【００１６】
また、前記電極は、足を測定部位とする足用検出部と手を測定部位とする手用検出部とに配設されていることを特徴とする。
【手続補正４】
【補正対象書類名】明細書
【補正対象項目名】００１８
【補正方法】変更
【補正の内容】
【００１８】
また、前記足用検出部に配設された前記電極の少なくとも一部と前記手用検出部に配設された前記電極の少なくとも一部とを切り替え接続可能にする切替手段を備えることを特徴とする。
【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
被検体頭部に光を照射する光照射手段と、
前記被検体頭部内部を透過した透過光を検出する光検出手段と、
前記光検出手段で検出された前記透過光の強度から、前記被検体頭部の血液量を演算するデータ処理装置と、
前記データ処理装置の処理結果を表示する表示手段とを有し、
前記データ処理装置は、前記光検出手段による計測データと、前記計測データの時間的な変動に対するフィッティング関数との差をＤｓとし、安静期間におけるＤｓの自乗平均値と、前記被検体の脳機能を活動させるタスク期間におけるＤｓの自乗平均値との比を所定の閾値と比較し、前記血液量変化の有無を判定することを特徴とする意思表示装置。
【請求項２】
被検体頭部に光を照射する光照射手段と、前記被検体頭部内部を透過した透過光を検出する光検出手段と、検出された前記透過光の強度のデータを処理するデータ処理装置と、該データ処理装置の処理結果を表示する表示手段とを有し、前記データ処理装置は、安静期間に検出された前記透過光の強度と、前記被検体の意識的な脳機能活動により脳を活動させた期間であるタスク期間に検出された前記透過光の強度とを比較して、前記タスク期間での脳血液量の変化を分類し、分類結果が、前記被検体の意識として前記表示装置に表示されることを特徴とする意思表示装置。
【請求項３】
請求項２に記載の意思表示装置に於いて、前記データ処理装置は、前記脳血液量の変化を３種類に分類することを特徴とする意思表示装置。
【請求項４】
請求項２に記載の意思表示装置に於いて、前記分類結果を音ととして出力する手段を有することを特徴とする意思表示装置。
【請求項５】
請求項２に記載の意思表示装置に於いて、前記透過光の検出開始時点、前記透過光の終了開始時点、タスク期間の開始時点、タスク期間の終了時点が、前記表示装置に表示されることを特徴とする意思表示装置。
【請求項６】
請求項２に記載の意思表示装置に於いて、前記透過光の検出開始時点、前記透過光の終了開始時点、タスク期間の開始時点、タスク期間の終了時点を、音として出力する手段を有することを特徴とする意思表示装置。
【手続補正書】
【提出日】平成16年11月15日(2004.11.15)
【手続補正１】
【補正対象書類名】明細書
【補正対象項目名】０００５
【補正方法】変更
【補正の内容】
【０００５】
本願発明は、このような事情のもとで考え出されたものであって、遊戯者がルーレットゲームが進行している途中過程においてもそのゲームを楽しむことができるようにして、従来よりも面白いルーレットゲームが行えるようにすることをその課題としている。
【手続補正２】
【補正対象書類名】明細書
【補正対象項目名】０００８
【補正方法】変更
【補正の内容】
【０００８】
本願発明では、従来のものとは異なり、ルーレット回転盤の動作が開始した後であっても、遊戯者が操作部を操作することによって、ルーレット回転盤の動作が停止したときの状況についての予測内容を変更することができる。このため、遊戯者は、ルーレット回転盤の動作途中の段階において、そのルーレット回転盤の動作状態から停止状態に至るまでの経過を見ながら予め設定した予測内容を必要に応じて修正することが可能となり、ルーレット回転盤の動作が完全に停止するまで遊戯者は気を抜くことなく、そのゲームに実質的に関与できることとなる。したがって、最終的にゲーム結果が「当たり」または「はずれ」となる最終段階まで、またはその直前の段階まで、ルーレットゲームを楽しむことが可能となり、従来よりも面白く、趣向性の高いルーレットゲームを提供することができるという格別な効果が得られる。とくに、本願発明では、遊戯者がルーレット回転盤の動作を見ながら決定した予測内容が「当たり」となったときには、ルーレット回転盤の動作開始前に漠然と予測した内容が「当たり」になったときよりもその遊戯者に大きな満足感あるいは達成感を与えることとなり、これがゲームの面白味を一層高めることとなる。なお、本願発明では、操作部の操作によって予測内容を変更できる期間は、一定期間内に限られているために、ルーレット回転盤の動作が停止してかなりの時間が経過したにも拘わらず、遊戯者の予測内容が変更されるといった不当な事態が生じないようにすることができる。
【手続補正３】
【補正対象書類名】明細書
【補正対象項目名】００２６
【補正方法】変更
【補正の内容】
【００２６】
上記複数の操作スイッチ２０は、ベット対象となるキャラクタＣ１〜Ｃ５を選択するためのいわゆるベット用スイッチであり、上記キャラクタＣ１〜Ｃ５のそれぞれに対応して設けられている。このルーレット型ゲーム装置Ａでは、ベット可能なキャラクタは１つに限定されず、複数の操作スイッチ２０を操作することによって、複数のキャラクタに対して同時にベットできるようになっている。上記一対の操作スイッチ２１ａ，２１ｂは、後述する一組の基準部５Ａ，５Ｂのうちのいずれか一方の基準部を遊戯者が選択するための操作スイッチである。すなわち、左側の操作スイッチ２１ａを操作することによって左側の基準部５Ａを選択することができる。またその後右側の操作スイッチ２１ｂを操作すると、先の基準部５Ａに代えて右側の基準部５Ｂを選択できるようになっている。上記操作スイッチ２０，２１ａ，２１ｂ以外の他のスイッチとしては、たとえばメダル投入口２３から投入されたメダルのうちベットに使用されていないメダルをメダル払出口１２（図１参照）に排出するための操作スイッチ（図示略）などを適宜設けることができる。
【手続補正４】
【補正対象書類名】明細書
【補正対象項目名】００３４
【補正方法】変更
【補正の内容】
【００３４】
図２に示すように、このルーレット型ゲーム装置Ａは、ＣＰＵ７、ＲＯＭ７０、ＲＡＭ７１、およびインタフェース７２を具備している。これらは相互にバス接続されている。上記ＣＰＵ７は、このルーレット型ゲーム装置Ａの各部の動作制御や各種の演算処理を行うものである。上記ＲＯＭ７０は、上記ＣＰＵ７を一定の手順で動作させて所定のルーレットゲームを実行するのに必要な各種のプログラムやデータを記憶したものである。上記ＲＡＭ７１は、ルーレットゲームを実行するときに必要な各種のデータの記憶を行わせるためのものである。
【手続補正５】
【補正対象書類名】図面
【補正対象項目名】図４
【補正方法】変更
【補正の内容】
【図４】
1999137768.tif 000001
【手続補正書】
【提出日】平成16年10月15日(2004.10.15)
【手続補正１】
【補正対象書類名】明細書
【補正対象項目名】０００７
【補正方法】変更
【補正の内容】
【０００７】
本発明にかかるパチンコ遊技機の発射操作部の変位制御装置（以下単に「発射操作部変位制御装置」という。）では、通常時には位置固定手段によって発射操作部の位置が固定される。そして、パチンコ球を発射させるため、あるいは発射強度を変更するために、遊技者が発射操作部を操作すると、発射操作部にはある大きさの力が加わり、この力は、操作力検出手段によって検出される。そして、操作力検出手段によって検出された力の大きさが、予め設定された所定値以上である場合には、固定解除手段によって位置固定手段による固定が解除され、遊技者は発射操作部を自由に変位させることができる様になる。
【手続補正２】
【補正対象書類名】明細書
【補正対象項目名】００１３
【補正方法】変更
【補正の内容】
【００１３】
この様に構成されている場合には、通常時には位置固定手段によって発射ハンドルの回動位置が固定されており、遊技者が発射ハンドルを操作することによって発射ハンドルのシャフトに発生する軸トルクを操作力検出手段が検出し、この軸トルクの大きさが予め設定された所定値以上である場合に、固定解除手段が回動位置の固定を解除すると、遊技者は発射ハンドルを自由に回動させることができる様になる。
【手続補正書】
【提出日】平成16年11月5日(2004.11.5)
【手続補正１】
【補正対象書類名】明細書
【補正対象項目名】０００３
【補正方法】変更
【補正の内容】
【０００３】
【発明が解決しようとする課題】
しかしながら、上記従来のルーレット型ゲーム装置は、結局は、いずれのものも単に１つのルーレット盤を用いてそのルーレット盤のいずれの領域が「当たり」になるのかを遊戯者が予測するものに過ぎない。このため、従来のルーレット型ゲーム装置は、ゲームの進行過程やゲーム結果の内容がきわめて単純であり、多くの遊戯者にとって必ずしも面白いゲームであるとは言えず、ゲームの面白さ、あるいは趣向性の観点からすれば、未だ改良の余地があった。
【手続補正２】
【補正対象書類名】明細書
【補正対象項目名】００１８
【補正方法】変更
【補正の内容】
【００１８】
このような構成によれば、上記駆動機構部を駆動させると、キャラクタ人形の両腕を構成する複数のリンク部材が屈伸動作を行う。また、その際には、キャラクタ人形の上半身胴体部を構成する可動フレームが水平方向に回転する。したがって、上記キャラクタ人形には、腰を回転させながら両腕を屈伸させる格闘技を繰り出しているような動作を行わせることができ、これが遊戯者にとって妙味のあるものとすることができる。また、上記構成では、キャラクタ人形の上半身胴体部を構成する可動フレームの一方向への回転は、バネの弾発力を利用して行わせることができるとともに、上記キャラクタ人形の可動フレームの逆方向への回転は複数のリンク部材を屈伸させるための駆動機構部を利用して行わせることができるために、キャラクタ人形に一定の動作を行わせるための全体の機構の構造を簡易することができる。すなわち、キャラクタ人形には比較的複雑な動作を行わせることができる一方、その動作を行わせるための機械的な構造は比較的簡素な構造にすることができる。
【手続補正３】
【補正対象書類名】明細書
【補正対象項目名】００３６
【補正方法】変更
【補正の内容】
【００３６】
上記固定フレーム５２は、上記キャラクタ人形５Ａの下半身となる部分であり、下方開口状のボックス状に形成された固定フレーム本体部５２ａの下部に、左右の両脚部となる一組の屈曲状の金属板５２ｂ，５２ｃを固定して連結した構造である。上記金属板５２ｂ，５２ｃの下端部に設けられた複数のネジ挿通孔５２ｄを利用することにより、このキャラクタ人形５Ａは回転板５Ｂの上面に固定して取付けられる。上記可動フレーム５３は、キャラクタ人形５Ａの上半身胴体部となる部分であり、たとえば一側面開口状のボックス状に形成されている。この可動フレーム５３は、上記固定フレーム本体部５２ａの上面に載設されており、この可動フレーム５３を上下方向に貫通するように延びる軸５７を中心として矢印Ｎ３に示す水平方向に回転可能である。
【手続補正４】
【補正対象書類名】明細書
【補正対象項目名】００３９
【補正方法】変更
【補正の内容】
【００３９】
上記バネ５５は、可動フレーム５３を一定方向へ回転させるように可動フレーム５３に常時弾発力を付与するものである。図１０によく表れているように、このバネ５５は引っ張りバネであり、その一端部は、固定フレーム本体部５２ａの上面に立設されて可動フレーム５３の長孔５３ａに貫通したピン５５ａに係止されている。また、その他端部は、可動フレーム５３の孔部５５ｂの周縁部に係止されている。したがって、上記可動フレーム５３は、上記バネ５５の弾発力によって常時矢印Ｎ７方向に付勢され、ピン５５ａが長孔５３ａの前端部に当接した状態で安定している。
【手続補正５】
【補正対象書類名】明細書
【補正対象項目名】００４８
【補正方法】変更
【補正の内容】
【００４８】
上記ＣＰＵ７は、ベット用スイッチとしての操作スイッチ２０が操作されることによって、キャラクタＣ１〜Ｃ７の少なくとも一部についてベットされた旨の信号を操作部２から受信するとともに、上記タイマーによって一定時間（たとえば２５秒程度）がカウントされることを条件として、その後ドライバ７３，７４にモータＭ１，Ｍ２を駆動させるための制御信号を出力し、回転テーブル４や回転動作体５を回転させる制御を行うように構成されている。そして、その後ＣＰＵ７は、上記回転テーブル４の回転を停止させる制御と回転動作体５の回転を停止させる制御とを実行し、回転動作体５の回転停止時には、駆動機構部５６のモータＭ３を駆動させるための制御信号をドライバ７５に出力するように構成されている。上記ＣＰＵ７は、回転テーブル４の回転が停止したときには、センサ９４ａから送信されてくる回転テーブル４の回転角度に関する信号に基づいて、ルーレットゲームについての第１次当たり判定を行う。この第１次当たり判定は、回転テーブル４の図柄が固定テーブル３に表示されている遊戯者がベットしたキャラクタの図柄と位置合わせ状態となるように回転テーブル４の回転停止角度が所定の角度になっている場合に、ルーレットゲームの結果を「当たり」とするものである。一方、そうでない場合には「はずれ」とする。ＣＰＵ７は、上記第１次当たり判定の結果が「当たり」となったときには、その「当たり」に該当する領域を挟む一組の当たり表示ランプ６ａ，６ａを点灯駆動させる制御を実行するように構成されている。
【手続補正６】
【補正対象書類名】明細書
【補正対象項目名】００５２
【補正方法】変更
【補正の内容】
【００５２】
まず、メダル投入口２３にメダルが投入されると（Ｓ１：ＹＥＳ）、ＣＰＵ７はタイマーをセットし（Ｓ２）、タイマーカウントを開始する。回転テーブル４や回転動作体５はこのタイマーのカウントアップによって回転動作を開始するようになっており、上記タイマーセットは、そのための処理である。ただし、本願発明はこれに代えて、たとえば遊戯者が所定のスタートスイッチを操作することによって回転テーブル４や回転板５Ｂが回転動作を開始するようにしてもよい。上記タイマーセットを行った後には、ＣＰＵ７は、既に述べたように、キャラクタＣ１〜Ｃ７ごとのオッズ、「大当たり」のときに余分に払い出されるメダル枚数、および各遊戯者が有する残りのメダル枚数などのデータを演算し、それらのデータを７セグメント表示部の所定位置に表示させる（Ｓ３）。遊戯者は、これらのデータを見ながら、キャラクタＣ１〜Ｃ７のいずれにベットするか、およびそのベットするメダルの枚数などを判断することとなる。
【手続補正７】
【補正対象書類名】図面
【補正対象項目名】図１
【補正方法】変更
【補正の内容】
【図１】
1999137772.tif 000001
【手続補正８】
【補正対象書類名】図面
【補正対象項目名】図１２
【補正方法】変更
【補正の内容】
【図１２】
1999137772.tif 000002
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
静磁場を発生する静磁場発生手段と、上記静磁場空間に傾斜磁場を発生する傾斜磁場発生手段と、上記静磁場内に置かれた被検体の生体組織を構成する原子の原子核に核磁気共鳴を起こさせるために高周波信号を照射する送信手段と、上記核磁気共鳴により放出されるエコー信号を検出する受信手段と、上記受信手段で検出されたエコー信号を用いて画像再構成演算を行う信号処理手段とを備えて成る磁気共鳴イメージング装置において、
上記傾斜磁場発生手段は、密閉された空間内に配置され、
上記密閉空間は減圧手段により減圧されることを特徴とする磁気共鳴イメージング装置。
【請求項２】
請求項１記載の磁気共鳴イメージング装置において、
上記静磁場発生手段は、上記静磁場空間を間に挟んで対向配置された一対の静磁場発生源を有し、
上記各静磁場発生源は、その上記静磁場空間側に上記密閉空間を有し、
上記密閉空間は、上記静磁場空間側に向かう環状突出部と、上記環状突出部に囲まれた内側の窪み空間と、上記窪み空間の開口を覆うカバーとで形成されていることを特徴とする磁気共鳴イメージング装置。
【請求項３】
請求項２記載の磁気共鳴イメージング装置において、
上記静磁場発生源は、その上記静磁場空間側に磁極を備え、
上記磁極が、上記環状突出部と上記窪み空間を備えることを特徴とする磁気共鳴イメージング装置。
【請求項４】
請求項２又は３記載の磁気共鳴イメージング装置において、
上記各静磁場発生源は、その内部を貫通して上記密閉空間から空気を排気するための貫通孔を有し、
上記密閉空間内を減圧するための減圧手段が上記密閉空間外に配置され、且つ、上記貫通孔に接続されていることを特徴とする磁気共鳴イメージング装置。
【手続補正２】
【補正対象書類名】明細書
【補正対象項目名】０００８
【補正方法】変更
【補正の内容】
【０００８】
【課題を解決するための手段】
上記目的を達成するために、静磁場を発生する静磁場発生手段と、上記静磁場空間に傾斜磁場を発生する傾斜磁場発生手段と、上記被検体の生体組織を構成する原子の原子核に核磁気共鳴を起こさせるために高周波信号を照射する送信手段と、上記核磁気共鳴により放出されるエコー信号を検出する受信手段と、上記受信手段で検出されたエコー信号を用いて画像再構成演算を行う信号処理手段とを備えて成る磁気共鳴イメージング装置において、上記傾斜磁場発生手段は、密閉された空間内に配置され、上記密閉空間は減圧されているように構成したものである。（請求項１）
【手続補正３】
【補正対象書類名】明細書
【補正対象項目名】０００９
【補正方法】変更
【補正の内容】
【０００９】
また、上記静磁場発生手段は、上記静磁場空間を間に挟んで対向配置された一対の静磁場発生源を有し、上記各静磁場発生源は、その上記静磁場空間側に上記密閉空間を有し、上記密閉空間は、上記静磁場空間側に向かう環状突出部と、上記環状突出部に囲まれた内側の窪み空間と、上記窪み空間の開口を覆うカバーとで形成されるように構成したものである。（請求項２）
【手続補正４】
【補正対象書類名】明細書
【補正対象項目名】００１０
【補正方法】変更
【補正の内容】
【００１０】
また、上記静磁場発生源は、その上記静磁場空間側に磁極を備え、
上記磁極が、上記環状突出部と上記窪み空間を備えて構成したものである（請求項３）。
さらに、上記各静磁場発生源は、その内部を貫通して上記密閉空間から空気を排気するための貫通孔を有し、上記密閉空間内を減圧するための減圧手段が上記貫通孔に接続されるように構成したものである。（請求項４）
【手続補正５】
【補正対象書類名】明細書
【補正対象項目名】００２０
【補正方法】変更
【補正の内容】
【００２０】
以上のように構成されたポールピース１は、磁場発生手段６１（図６参照）の内部において図４に示すように取り付けられている。すなわち、透磁率の高い材質，例えば低炭素鋼から成る上ヨーク４１と，下ヨーク４２と，これら両者間を連結するサイドヨーク４３と，上記上ヨーク４１及び下ヨーク４２の対向する内側面に対向して固定された円板状の永久磁石２０，２０とで静磁場発生の磁気回路を構成し、上記永久磁石２０，２０の対向する内側面の間に形成される被検体の計測空間をはさんで該計測空間の上下に対向して上記ポールピース１が配置され、上記永久磁石２０の近傍に取り付けられている。なお、図４において、矢印Ｂｏは上記永久磁石２０，２０によって発生する静磁場の方向を示している。
【手続補正書】
【提出日】平成16年11月10日(2004.11.10)
【手続補正１】
【補正対象書類名】明細書
【補正対象項目名】発明の名称
【補正方法】変更
【補正の内容】
【発明の名称】医用画像診断装置
【手続補正２】
【補正対象書類名】明細書
【補正対象項目名】特許請求の範囲
【補正方法】変更
【補正の内容】
【特許請求の範囲】
【請求項１】
検出部を有し、この検出部により被検体から得られた情報を画像化して診断用画像とする画像作成部と、
被検体を搭載し、被検体の任意の部分の画像が作成可能なように、被検体を前記画像作成部の検出部に対して移動する寝台と、
この寝台の操作力を検出する操作力検出手段と、
前記寝台の移動速度を検出する移動速度検出手段と、
前記寝台の位置を検出する位置検出手段と、
前記寝台を操作する操作者の操作力指令値が前記操作力検出手段の出力に一致するように前記寝台の操作力を制御する寝台操作力制御手段を備えた医用画像診断装置において、
前記寝台操作力制御手段は、前記操作力指令値と前記寝台の移動速度の関係を任意に選択できる操作力指令値−移動速度関係選択手段を備えたことを特徴とする医用画像診断装置。
【手続補正３】
【補正対象書類名】明細書
【補正対象項目名】００１２
【補正方法】変更
【補正の内容】
【００１２】
【課題を解決するための手段】
上記目的は、  検出部を有し、この検出部により被検体から得られた情報を画像化して診断用画像とする画像作成部と、
被検体を搭載し、被検体の任意の部分の画像が作成可能なように、被検体を前記画像作成部の検出部に対して移動する寝台と、この寝台の操作力を検出する操作力検出手段と、  前記寝台の移動速度を検出する移動速度検出手段と、前記寝台の位置を検出する位置検出手段と、を備え、前記寝台を操作する操作者の操作力指令値が前記操作力検出手段の出力に一致するように前記寝台の操作力を制御する寝台操作力制御手段を備えた寝台制御装置を備えた、医用画像診断装置において、前記寝台操作力制御手段は、前記操作力指令値と前記寝台の移動速度の関係を任意に選択できる操作力指令値−移動速度関係選択手段を備えることによって達成される。
［その他］
補正の根拠は明細書中、【０００１】と【図１】にあります。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
複数個の超音波振動子からなる超音波探触子から送受した超音波信号に基づいて、被検体に刺入した針状体の位置を表示手段に表示し、該表示画像を操作者の前記被検体の患部への前記針状体の刺入の案内に共する医療用超音波診断装置において、前記超音波探触子は、複数個の超音波振動子からなる複数の振動子群を有し、該振動子群は超音波の走査方向と垂直をなす方向に隣り合って配置されると共に、それぞれの前記振動子群の間隔を所定間隔に可変し保持する可変保持手段とを具備することを特徴とする医療用超音波診断装置。
【手続補正２】
【補正対象書類名】明細書
【補正対象項目名】００１５
【補正方法】変更
【補正の内容】
【００１５】
複数個の超音波振動子からなる超音波探触子から送受した超音波信号に基づいて、被検体に刺入した針状体の位置を表示手段に表示し、該表示画像を操作者の前記被検体の患部への前記針状体の刺入の案内に共する医療用超音波診断装置において、前記超音波探触子は、複数個の超音波振動子からなる複数の振動子群を有し、該振動子群は超音波の走査方向と垂直をなす方向に隣り合って配置されると共に、それぞれの前記振動子群の間隔を所定間隔に可変し保持する可変保持手段とを具備する。
【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
組換え熱安定性DNAポリメラーゼであって、
ａ）その生来の形において、前記ポリメラーゼが次のアミノ酸配列：Leu Ser Xaa Xaa Leu Xaa Xaa Pro Xaa Xaa Glu（配列番号１）を含んで成り、ここで、前記配列の位置３，６，９及び10での“Xaa”は任意のアミノ酸残基であり、そして前記配列の位置７の“Xaa”はVal又はIleであり；
ｂ）位置４での前記“Xaa”が極性アミノ酸又は陽性電荷を有するアミノ酸に変異誘発されており；そして
ｃ）前記熱安定性DNAポリメラーゼが、前記ポリメラーゼの生来の形に比較して低められた、フルオレセイン類の色素によりラベルされたヌクレオチドの組込みに対する識別のレベルを有する、ことを特徴とする組換え熱安定性DNAポリメラーゼ。
【請求項２】
前記ヌクレオチドがジデオキシヌクレオチドであり、そして前記識別のレベルが前記ポリメラーゼの生来形の識別のレベルよりも少なくとも３倍低く、ここで、前記識別のレベルが、DNA合成の50％阻害のために必要とされる、フルオレセイン色素によりラベルされるジデオキシヌクレオチドの濃度を決定することによって測定される、請求項１記載の組換え熱安定性DNAポリメラーゼ。
【請求項３】
位置４における前記“Xaa”がLysに変異誘発されている、請求項１記載の組換え熱安定性DNAポリメラーゼ。
【請求項４】
前記ポリメラーゼが、サーマス・スペーシス（Thermus Species）種からである請求項２記載の組換え熱安定性DNAポリメラーゼ。
【請求項５】
その生来の形において、前記ポリメラーゼが次のアミノ酸配列：Leu Ser Xaa Xaa Leu Xaa Ile Pro Tyr Glu Glu（配列番号２）を含んで成り、ここで位置３の前記“Xaa”がGln又はGlyであ、位置４の“Xaa”が極性アミノ酸又は陽性電荷を有するアミノ酸に変異誘発されており、そして位置６の“Xaa”がSer又はAlaである、請求項４記載の組換え熱安定性DNAポリメラーゼ。
【請求項６】
その生来の形において、前記ポリメラーゼが次のアミノ酸配列：Leu Ser Gln Xaa Leu Ala Ile Pro Tyr Glu Glu（配列番号３）を含んで成り、ここで、位置４の“Xaa”が極性アミノ酸又は陽性電荷を有するアミノ酸に変異誘発されている、請求項４記載の組換え熱安定性DNAポリメラーゼ。
【請求項７】
前記ポリメラーゼが、サーモトガ・スペーシス（Thermotoga Species）からである請求項２記載の組換え熱安定性ＤＮＡポリメラーゼ。
【請求項８】
ａ）その生来の形において、前記ポリメラーゼが次のアミノ酸配列：Leu Ser Val Xaa Leu Gly Xaa Pro Val Lys Glu（配列番号４）を含んで成り、ここで、位置４の“Xaa”が極性アミノ酸又は陽性電荷を有するアミノ酸に変異誘発されており；そして
ｂ）位置７の前記“Xaa”がVal又はIleである、請求項７記載の組換え熱安定性DNAポリメラーゼ。
【請求項９】
請求項１〜８のいづれか１項記載の組換え熱安定性DNAポリメラーゼをコードする核酸。
【請求項１０】
請求項１〜８のいづれか１項記載の組換え熱安定性DNAポリメラーゼを調製するための方法であって、
ａ）請求項１〜８のいずれか１項記載の組換え熱安定性DNAポリメラーゼをコードする核酸を含んで成る宿主細胞を、前記組換え熱安定性DNAポリメラーゼの発現を促進する条件下で培養し；そして
ｂ）前記宿主細胞又は培地から前記組換え熱安定性DNAポリメラーゼを単離する；
ことを含んで成る方法。
【請求項１１】
DNA配列決定のための方法であって、
ａ）請求項１〜８のいづれか１項記載の組換え熱安定性DNAポリメラーゼを用意し；
ｂ）負に荷電された螢光色素によりラベルされた色素−ターミネーターを用意し；そして
ｃ）色素−ターミネーター配列決定反応を行なう；
ことを含んで成る方法。
【請求項１２】
ラベルされたDNAを生成するための方法であって、
ａ）請求項１〜８のいづれか１項記載の組換え熱安定性DNAポリメラーゼを用意し；
ｂ）フルオレセイン類の色素によりラベルされたヌクレオチドを用意し；そして
ｃ）DNA合成反応を実施する；
ことを含んで成る方法。
【請求項１３】
ラベルされたプライマー延長生成物の生成方法であって、
ａ）請求項１〜８のいづれか１項記載の組換え熱安定性DNAポリメラーゼを用意し、ここで
ｉ）前記ポリメラーゼは、次のアミノ酸配列：Leu Ser Val Xaa Leu Gly Xaa Pro Val Lys Glu（配列番号４）を含んで成り、ここで、位置４での“Xaa”は極性アミノ酸又は陽性電荷を有するアミノ酸に変異誘発されており、そして前記配列の位置７の“Xaa”がVal又はIleであり、
ii）前記ポリメラーゼがフルオレセイン類の色素によりラベルされたヌクレオチドの組込みに対して低められた識別レベルを有し、
iii ）前記ポリメラーゼがまた、第２アミノ酸配列SQIXLR(V/I）（配列番号18）を含んで成り、ここで、“Ｘ”は任意のアミノ酸であり、但しＥではなく、そして
iv）前記ポリメラーゼがフルオレセイン類の色素によりラベルされたヌクレオチドの組込みに対して低められた識別を有し；
ｂ）フルオレセイン類の色素によりラベルされたリボヌクレオチドを用意し；そして
ｃ）プライマー延長反応を実施する；
ことを含んで成る方法。
【請求項１４】
前記ポリメラーゼが、サーモシフォ・アフリカナス（Thermosipho africanus）、バシラス・カルドテナクス（Bacillus caldotenax）及びバシラス・ステアロサーモフィラス（Bacillus stearothermophilas）から成る群から選択された好熱種由来である、請求項10〜13のいずれか１項記載の方法。
【請求項１５】
請求項１〜８のいずれか１項記載の組換え熱安定性DNAポリメラーゼ、及び負に荷電された螢光色素によりラベルされたターミネーター、を含んで成るDNA配列決定のためのキット。
【請求項１６】
請求項１〜８のいずれか１項記載の組換え熱安定性DNAポリメラーゼ及び負に荷電された螢光色素によりラベルされたヌクレオチド、又はフルオレセイン類の色素によりラベルされたリボヌクレオチドを含んで成る、ラベルされたDNA又はプライマー延長生成物を生成するためのキット。